(57)【要約】【課題】  火葬場における火葬前のお別れ、火葬、拾骨のセレモニーをスマートに執り行うことができ、かつこのセレモニーを、臭気を殆ど感ずることがない環境で執り行うことができるようにする。【解決手段】  受け具（火格子５）を介して載せた愛玩動物の遺体２１を運搬する上下昇降可能な積載部２を備える台車１と、台車１の積載部２を挿入できる火葬室７を備える火葬炉６と、火葬炉６の火葬室７内に備えて台車１の積載部２を所定の高さより下降させる過程で積載部２上の受け具（火格子５）に載る遺体２１を受け具ごと移し替えできる支持台１５とより構成し、また支持台１５の載置部１６から空気２０を出して効率よく確実に火葬できるようにした。【選択図】  図１
2008256237.tif 000002
【特許請求の範囲】
【請求項１】
耐火性の受け具を介して載せた愛玩動物の遺体を運搬するための上下昇降可能な積載部を備える台車と、台車の少なくとも積載部を挿入できるようにした火葬室を備える火葬炉と、火葬炉に有する火葬室内に備えられていて台車の積載部を所定の高さより下降させる過程で積載部上の受け具に載る遺体を受け具ごと移し替えできるようにした支持台とより構成してなる愛玩動物用火葬システムであって、台車によりこの積載部に受け具を介して載せた遺体を火葬炉に有する火葬室へ移送し、台車の積載部を火葬室内に備える支持台よりも上方に上昇させた状態で積載部を火葬室内へ進入させ、次いで、積載部を支持台上部よりも下方の位置に下降させて積載部上の遺体を受け具ごと火葬室内の支持台上に移し替え、次いで、火葬室内で遺体を火葬して遺骨にし、火葬の終了後、台車の積載部を火葬室内に備える支持台上部よりも下方の位置に下降させた状態で積載部を火葬室内へ進入させ、次いで、積載部を支持台よりも上方に上昇させて支持台上に載る受け具を遺骨ごと台車の積載部に移し替え、台車を遺骨の拾骨場所に移動してなる愛玩動物用火葬システム。
【請求項２】
前記受け具を、火格子により構成してなる請求項１に記載の愛玩動物用火葬システム。
【請求項３】
前記火格子上に多数の小通孔を有する耐火プレートを設け、このプレートに前記遺体を載せてなる請求項２に記載の愛玩動物用火葬システム。
【請求項４】
前記支持台は、脚部と前記受け具を載せ置く水平載置部とより構成した台本体を、前記台車の少なくとも積載部が進入できるスペースを有して火葬室内の床上に左右並行に各々設けてなる請求項１に記載の愛玩動物用火葬システム。
【請求項５】
前記支持台内に空気通路を配設し、この空気通路を通過する空気を支持台における所定の部位から遺体の近傍に排出し、前記遺体を火葬する際、空気通路を通過する空気により支持台を冷却するとともに、支持台より排出した空気により遺体の自己燃焼を促進してなる請求項４に記載の愛玩動物用火葬システム。
【請求項６】
前記支持台を管材より構成し、この管材内部の空間に前記空気を通過させてなる請求項５に記載の愛玩動物用火葬システム。
【請求項７】
前記遺体を、前記支持台の上下に設けた燃焼用バーナで火葬してなる請求項１に記載の愛玩動物用火葬システム。
【請求項８】
前記台車の積載部を火葬室内に進入させる際、台車に配設した回転ローラを前記火葬炉に配設したガイド部材に接触させ、このガイド部材により台車の進入方向を制御し、台車の積載部が火葬室の支持台に対し所定の位置に案内されるよう構成してなる請求項１に記載の愛玩動物用火葬システム。
【請求項９】
前記回転ローラを、台車の両側に、かつ回転方向が略水平方向になるように少なくとも片側２箇所以上に同じ高さで設け、また前記ガイド部材を、台車が進入できるスペースを間に設け、かつ台車進入側の内側端部近傍をテーパ状に切り欠いて左右並行に設けてなる請求項８に記載の愛玩動物用火葬システム。
【発明の詳細な説明】
【技術分野】
【０００１】
本発明は、愛玩動物を火葬する際の愛玩動物用火葬システムに関し、より詳しくは、火葬場におけるセレモニーをスマートに、かつ臭気を殆ど感ずることがない環境で執り行うことができる愛玩動物用火葬システムに関する。
【背景技術】
【０００２】
今日、犬や猫等の愛玩動物は、単なるペットの域を超えて家族の一員として飼われる場合が多く、したがってこれらの愛玩動物が死んだ場合は、人間の火葬と同じように、愛玩動物専用の火葬場において火葬前のお別れ、火葬、拾骨といった一連の流れでセレモニーが執り行われる（例えば、特許文献１および特許文献２参照）。
【０００３】
しかしながら、従来、火葬前のお別れの後にペットの遺体を火葬室に入れる際は、火葬場の係員がペット本体を持って火葬室内に入れ、また、火葬が終わり拾骨の際は、同火葬場の係員が火葬室内からペットの遺骨を取り出し、飼い主による拾骨の準備を行っているため、ペットの大きさによっては係員の身体的負担（腰痛）が非常に大なる恐れがあった。
【０００４】
また、火葬室の設置数によってはペットの火葬を立て続けに行う場合もあるので、次の遺体を搬入する際、火葬室の蓄熱により火葬室内の熱い空気を吸い込んで気管を火傷したり、手や腕が火葬室内の火葬台座等に接触して手や腕を火傷したりする恐れがあった。
【０００５】
さらには、火葬室内に入れるペットの大きさや火葬室の蓄熱が原因で、飼い主と間に遺体の取り扱いに関するトラブルが発生する恐れもあった。
【０００６】
また従来には、火葬前のお別れの後にペットの遺体を火葬室に入れる際に、火葬室内の火葬用台座を兼用するトロッコに遺体を載せて火葬室内に入れ、火葬が終わった際は同トロッコを火葬室内から出し、飼い主による拾骨を行うようにしているものもある。
【０００７】
しかしながら、火葬室内の火葬用台座を兼用するトロッコによるものは、トロッコ本体が重いので重労働となり、また火葬後は一定時間トロッコを冷却しなければならず、さらにトロッコが火葬用台座を兼用するので、火葬の際に遺体から溶け出た脂肪や体液の染み込みによる悪臭が発生する恐れがあった。さらには、トロッコ用のレールやターンテーブル等の床上設備も必要となるので、火葬炉前に大なるスペースを必要とし、また、高齢者等が床上設備に足をつまづかせて転倒する恐れもあった。
【０００８】
【特許文献１】特開２００６−３２９６１２号公報（第１〜１４頁、図１〜７）
【特許文献１】登録実用新案第３０４０７９０号公報（第１〜１３頁、図１〜６）
【発明の開示】
【発明が解決しようとする課題】
【０００９】
本発明は、火葬場における火葬前のお別れ、火葬、拾骨といった一連のセレモニーをスマートに執り行うことができ、かつこのセレモニーを、臭気を殆ど感ずることがない環境で執り行うことができる愛玩動物用火葬システムを提供できるようにした。
【課題を解決するための手段】
【００１０】
上述した課題を解決するために、本発明に係る愛玩動物用火葬システムは、耐火性の受け具を介して載せた愛玩動物の遺体を運搬するための上下昇降可能な積載部を備える台車と、台車の少なくとも積載部を挿入できるようにした火葬室を備える火葬炉と、火葬炉に有する火葬室内に備えられていて台車の積載部を所定の高さより下降させる過程で積載部上の受け具に載る遺体を受け具ごと移し替えできるようにした支持台とより構成してなる愛玩動物用火葬システムであって、台車によりこの積載部に受け具を介して載せた遺体を火葬炉に有する火葬室へ移送し、台車の積載部を火葬室内に備える支持台よりも上方に上昇させた状態で積載部を火葬室内へ進入させ、次いで、積載部を支持台上部よりも下方の位置に下降させて積載部上の遺体を受け具ごと火葬室内の支持台上に移し替え、次いで、火葬室内で遺体を火葬して遺骨にし、火葬の終了後、台車の積載部を火葬室内に備える支持台上部よりも下方の位置に下降させた状態で積載部を火葬室内へ進入させ、次いで、積載部を支持台よりも上方に上昇させて支持台上に載る受け具を遺骨ごと台車の積載部に移し替え、台車を遺骨の拾骨場所に移動するものとしてある。
【００１１】
また前記受け具を、火格子により構成したものとしてある。
【００１２】
また前記火格子上に多数の小通孔を有する耐火プレートを設け、このプレートに前記遺体を載せるものとしてある。
【００１３】
また前記支持台は、脚部と前記受け具を載せ置く水平載置部とより構成した台本体を、前記台車の少なくとも積載部が進入できるスペースを有して火葬室内の床上に左右並行に各々設けたものとしてある。
【００１４】
また前記支持台内に空気通路を配設し、この空気通路を通過する空気を支持台における所定の部位から遺体の近傍に排出し、前記遺体を火葬する際、空気通路を通過する空気により支持台を冷却するとともに、支持台より排出した空気により遺体の自己燃焼を促進させるものとしてある。
【００１５】
さらに前記支持台を管材より構成し、この管材内部の空間に前記空気を通過させるものとしてある。
【００１６】
また前記遺体を、前記支持台の上下に設けた燃焼用バーナで火葬するものとしてある。
【００１７】
また前記台車の積載部を火葬室内に進入させる際、台車に配設した回転ローラを前記火葬炉に配設したガイド部材に接触させ、このガイド部材により台車の進入方向を制御し、台車の積載部が火葬室の支持台に対し所定の位置に案内されるよう構成したものとしてある。
【００１８】
さらに前記回転ローラを、台車の両側に、かつ回転方向が略水平方向になるように少なくとも片側２箇所以上に同じ高さで設け、また前記ガイド部材を、台車が進入できるスペースを間に設け、かつ台車進入側の内側端部近傍をテーパ状に切り欠いて左右並行に設けたものとしてある。
【発明の効果】
【００１９】
本発明の愛玩動物用火葬システムによれば、火葬場に搬入したペットの遺体を台車上の受け具に載せ替えることにより、火葬前のお別れ、火葬、拾骨の各セレモニー場所への移動とともに、各セレモニー場所での遺体、遺骨の載せ替えを台車の積載部を昇降操作することで行えるので、一連のセレモニーを、台車を用いてスマートに執り行うことができ、また愛玩動物一匹に掛かる一連のセレモニー時間が短縮するので、一日の火葬回数を増やすこともできる。
【００２０】
そして、火葬場に搬入したペットの遺体を台車に載せ替える際も、同遺体を運搬してきた車輌における遺体の積載部とほぼ同じ位置に、台車に備える昇降手段を操作して同台車の積載部を位置合せできるので、大型の遺体であっても容易に台車に載せ替えることができる。
【００２１】
したがって、本発明の愛玩動物用火葬システムを用いることで、遺体の大小の違いによる遺体取り扱い上のトラブルが飼い主との間に生じることもなく、火葬前のお別れ、火葬、拾骨といった一連のセレモニーをスマートに執り行うことができ、さらには、火葬場の係員に対する腰痛や火傷といった労働上の身体的負担も軽減できる。
【００２２】
また、火葬室に備える支持台内部に空気を通過させ、また通過させた空気を支持台上の遺体を載せている受け具に向けて排出させているので、遺体の自己燃焼に必要な酸素の供給も充分にでき、さらに遺体を支持台の上下に設けた複数の燃焼用バーナで焼いているので、遺体の燃焼が促進され火葬時間が短縮するとともに、体内から溶け出た脂肪や体液等も、支持台の下に設けている燃焼用バーナ（補助燃焼用バーナ）の熱で燃焼するので、火葬の後、火葬室内に残留する悪臭も軽減できる。
【００２３】
そして、火葬が終了した後も空気を一定時間供給することで、炎を直に受けて常に高温下におかれる支持台を冷却できるので、支持台の損傷を軽減できて支持台における耐用期間を延長できる。また同時に火葬室内も冷却されるので、遺骨搬出の際に火葬室内の熱気をあまり感ずることなく搬出できる。
【００２４】
また、遺体とともに火葬室内に入れられる受け具も金属製（耐火性）であるため、火葬の際に体内から溶け出た脂肪や体液等の染み込みがなく、拾骨の際も臭気を殆ど感ずることなく拾骨のセレモニーを執り行うことができる。
【００２５】
そして、受け具もプレート状で薄いので蓄熱も小であり、拾骨の終了直後であっても、後に続く愛玩動物のセレモニーにすぐに使用できるので、一日に行えるセレモニー回数を増やすことができる。また、プレート状の受け具は自重も軽く容易に扱うことができる。
【００２６】
また、台車は、遺体を火葬している間は所定の場所に移動して休止状態になるため、後に続く愛玩動物のセレモニーにも使用できるので、台車を効率よく運用できる。
【発明を実施するための最良の形態】
【００２７】
以下、本発明の愛玩動物用火葬システムを添付図面に基づいて説明する。
図１は、本火葬システムの構成を示しており、符号１は愛玩動物の遺体を移送する台車を、符号６は愛玩動物の遺体を火葬する火葬炉を、符号１５は愛玩動物の遺体を載せる支持台を示している。
また、火葬炉６は、一方の側壁を取り除いた状態で炉内構成を示している。
【００２８】
そして、死んだペットすなわち愛玩動物のセレモニーを、本火葬システムを備える火葬場で執り行う際の流れを図２〜図８により説明する。
先ず、図２に示すように、火葬場に持ち込まれた愛玩動物の遺体２１を、台車１の積載部２に火格子５からなる受け具を介して載せ、火葬前のお別れのセレモニーを執り行い、次いで図２に示すように、台車１を操作して遺体２１を火葬炉６へ移送する。
【００２９】
遺体２１を載せ置く火格子５は、図１０に示すような形状に、例えばステンレス材のような耐火性を有する材料を用いて形成していて、この火格子５の上に直接遺体を載せるか、あるいは図１１に示すような、多数の小通孔２３ａを有するパンチングメタル材等から形成した耐火プレート２３を前記火格子５の上に設置して、この耐火プレート２３の上に遺体を載せる。
【００３０】
次に、火葬炉６へ移送した遺体２１を、図３に示すように、火葬炉６の扉８を上方に開け、台車１に備える昇降用ハンドル３を操作して台車１の積載部２を火葬室７内に備える支持台１５の載置部１６上方に上昇させ、かつ台車１の積載部２が、図１２における支持台１５の左右並行に設けた載置部１６、１６間の上方に位置するように、台車１を誘導して積載部２を火葬室７内に進入させる。
なお、前記積載部２の昇降は昇降用ハンドル３の操作以外に、油圧ジャッキやジャーナルジャッキあるいは電動式の昇降手段を用いる場合もある。
【００３１】
実施例では、台車１のキャスタ支持部４を火葬室７の外壁下方に進入させるため、火葬炉６における扉８側の台座１１の一部を切り欠いている（切欠き部分の図示は省略）。また、台座１１における切り欠きの幅を、台車１のキャスタ支持部４が丁度進入できる程度の切り欠き幅にすることにより、支持台１５の載置部１６、１６に対する位置調節ができる。
【００３２】
また台車１をよりスムースに進入させる場合は、例えば図１３に示すように、台車１の両側に回転ローラ４ｂを配設するとともに、火葬炉６の火葬室７下方における台座１１の前記回転ローラ４に対する高さに左右並行な進路ガイド６ｂを配設し、この進路ガイド６ｂで台車１の進入方向に対する進路を制御して、台車１の積載部２が火葬室７内に備える支持台１５に対し、決められた位置に進入できるようにしてもよい。また、回転ローラ４ｂを台車１の左右外方に付勢させ、進路ガイド６ｂの補正部６ｃを通過した後も回転ローラ４ｂを進路ガイド６ｂに接触させて、進入路６ａ内をより安定走行できるようにする場合もある。
【００３３】
上述する台車１の進入方向に対する進路制御は、図１４（ａ）のように、台車１の両側に多数配設した回転ローラ４ｂにおける先端に配設した一側の回転ローラ４ｂを、火葬炉６の台座１１に左右並行に配設した進路ガイド６ｂにおける一側のテーパ状に切り欠いた補正部６ｃに接触させて進入路６ａ内に進入させることで、図１４（ｂ）のように、進路ガイド６ｂにおけるテーパ状の補正部６ｃに接触する前記回転ローラ４ｂが左右並行に配設された進路ガイド６ｂの中央に徐々に案内され、この回転ローラ４ｂの案内によって台車１の進入方向も左右並行に配設された進路ガイド６ｂの中央に徐々に案内されて、図１４（ｃ）のように、台車１の先端両側に配設した回転ローラ４ｂがテーパ状の補正部６ｃを通過する頃には、台車１が、左右並行に配設した進路ガイド６ｂにおける適正な進入位置に補正される。
【００３４】
次に、支持台１５の載置部１６上方に上昇させた積載部２を、図４に示すように、台車１に備える昇降用ハンドル３を操作して台車１の積載部２を支持台１５の載置部１６上部よりも下方の位置に下降させ、この下降過程において、台車１の積載部２上の遺体２１が火格子５からなる受け具ごと支持台１５の載置部１６上に移し替えられる。
【００３５】
そして、図５に示すように、台車１を後退させて積載部２を火葬室７から引き出し、火葬炉６の扉８を下げて火葬室７を閉じ、台車１を所定の場所（保管場所等）に移動する。
【００３６】
次に、火葬炉６は、図６に示すように、燃焼用バーナ１２、１３、１４を点火して支持台１５の載置部１６上の火格子５からなる受け具に載る遺体２１を焼いて遺骨２２にする。
【００３７】
また、火葬を開始すると、給気ブロワ１９を作動して給気管１８、支持台１５の管材からなる脚部１７、載置部１６を介してこの載置部１６の空気排出口１６ａから火葬室７内へ空気２０を排出するようにしている。
【００３８】
そして、遺体２１の燃焼により発生した煙は煙道を通り再燃焼室９に入り、再燃焼室９により煙内に含まれる燃えかすを燃焼用バーナ１４で完全燃焼させるとともに、煙を排煙ダクト１０により排煙処理部（図示は省略）へ送っている。
【００３９】
次に、火格子５からなる受け具上の遺骨２２を、図７に示すように、火葬炉６の扉８を上方に開け、台車１に備える昇降用ハンドル３を操作して台車１の積載部２を火葬室７内に備える支持台１５の載置部１６下方に下降させ、かつ台車１の積載部２が、図１２における支持台１５の左右並行に設けた載置部１６、１６間の下方に位置するように、台車１を誘導して積載部２を火葬室７内に進入させる。
【００４０】
次に、支持台１５の載置部１６下方に下降させた積載部２を、図８に示すように、台車１に備える昇降用ハンドル３を操作して台車１の積載部２を支持台１５の載置部１６上部よりも上方の位置に上昇させ、この上降過程において、支持台１５の載置部１６上の遺骨２２が火格子５からなる受け具ごと台車１の積載部２上に移し替えられる。
【００４１】
そして、図９に示すように、台車１を後退させて積載部２上の火格子５からなる受け具に載る遺骨２２を火葬室７から引き出し、台車１の積載部２上の火格子５からなる受け具に載る遺骨２２を拾骨場所に移動する。
【００４２】
実施例における図中の符号４ａは、台車１移動用のキャスタであり、符号１０は、遺体２１火葬の際に発生する煙を排煙処理部（図示は省略）へ送るための排煙ダクト、１７ａは、支持台１５の載置部１６を支える他方の脚部である。
【図面の簡単な説明】
【００４３】
【図１】本発明に係る愛玩動物用火葬システムを示す構成図。
【図２】火葬システムの流れを示す図。
【図３】火葬システムの流れを示す図。
【図４】火葬システムの流れを示す図。
【図５】火葬システムの流れを示す図。
【図６】火葬システムの流れを示す図。
【図７】火葬システムの流れを示す図。
【図８】火葬システムの流れを示す図。
【図９】火葬システムの流れを示す図。
【図１０】火格子の一例を示す斜視図。
【図１１】耐火プレートの一例を示す斜視図。
【図１２】支持台の一例を示す斜視図。
【図１３】台車の進路制御手段の一例を示す図。
【図１４】図１３の進路制御手段による進路制御を示す図。
【符号の説明】
【００４４】
１  台車
２  積載部
３  昇降用ハンドル
４  キャスタ支持部
４ａ  キャスタ
４ｂ  回転ローラ
５  火格子
５ａ  開口
６  火葬炉
６ａ  進入路
６ｂ  進路ガイド
６ｃ  補正部
７  火葬室
８  扉
９  再燃焼室
１０  排煙ダクト
１１  台座
１２  燃焼用バーナ
１３  燃焼用バーナ
１４  燃焼用バーナ
１５  支持台
１６  載置部
１６ａ  空気排出口
１７  脚部
１７ａ  脚部
１８  給気管
１９  給気ブロワ
２０  空気
２１  遺体
２２  遺骨
２３  耐火プレート
２３ａ  通孔
【図１】
2008256237.tif 000003
【図２】
2008256237.tif 000004
【図３】
2008256237.tif 000005
【図４】
2008256237.tif 000006
【図５】
2008256237.tif 000007
【図６】
2008256237.tif 000008
【図７】
2008256237.tif 000009
【図８】
2008256237.tif 000010
【図９】
2008256237.tif 000011
【図１０】
2008256237.tif 000012
【図１１】
2008256237.tif 000013
【図１２】
2008256237.tif 000014
【図１３】
2008256237.tif 000015
【図１４】
2008256237.tif 000016
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
台車の少なくとも積載部を挿入できるようにした火葬室を備える火葬炉の火葬室内に、この火葬室の床に立設した脚部と、この脚部上に水平に設けられ、前記台車の進入方向に延びる左右一対の載置部とよりなる支持台を備え、また、前記台車によって火葬室内に移送され、前記支持台上に愛玩動物の遺体とともに載置される火格子を備え、前記台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出し、火葬室内での遺体の火葬後には、台車の積載部を火葬室内の載置部よりも低い位置に下降させた状態で進入させ、その後積載部を載置部よりも上方に上昇させて火格子を遺骨ごと台車の積載部にて支持させて、台車を遺骨の拾骨場所に移動するように構成してなる愛玩動物用火葬システム。
【請求項２】
前記火格子上に多数の小通孔を有する耐火プレートを設け、このプレートに前記遺体を載せるように構成してなる請求項１に記載の愛玩動物用火葬システム。
【請求項３】
前記支持台を構成する脚部および載置部をともに管材で構成して内部に空気通路を形成し、この空気通路を介して外部からの空気を支持台における所定の部位から遺体の近傍に排出し、火葬の際、空気通路を通過する空気により支持台を冷却するとともに、支持台より排出した空気により遺体の自己燃焼を促進してなる請求項１に記載の愛玩動物用火葬システム。
【請求項４】
前記支持台の上下にそれぞれ燃焼用バーナを設け、これらの燃焼用バーナによって遺体を上下から燃焼させるように構成してなる請求項１に記載の愛玩動物用火葬システム。
【請求項５】
前記台車の積載部を火葬室内に進入させる際、台車に配設した回転ローラを前記火葬炉に配設したガイド部材に接触させ、このガイド部材により台車の進入方向を制御し、台車の積載部が火葬室の支持台に対し所定の位置に案内されるよう構成してなる請求項１に記載の愛玩動物用火葬システム。
【請求項６】
前記回転ローラを、台車の両側に、かつ回転方向が略水平方向になるように少なくとも片側２箇所以上に同じ高さで設け、また前記ガイド部材を、台車が進入できるスペースを間に設け、かつ台車進入側の内側端部近傍をテーパ状に切り欠いて左右平行に設けてなる請求項５に記載の愛玩動物用火葬システム。
【手続補正２】
【補正対象書類名】明細書
【補正対象項目名】０００８
【補正方法】変更
【補正の内容】
【０００８】
【特許文献１】特開２００６−３２９６１２号公報（第１〜１４頁、図１〜７）
【特許文献２】登録実用新案第３０４０７９０号公報（第１〜１３頁、図１〜６）
【手続補正３】
【補正対象書類名】明細書
【補正対象項目名】００１０
【補正方法】変更
【補正の内容】
【００１０】
上述した課題を解決するために、本発明に係る愛玩動物用火葬システムは、台車の少なくとも積載部を挿入できるようにした火葬室を備える火葬炉の火葬室内に、この火葬室の床に立設した脚部と、この脚部上に水平に設けられ、前記台車の進入方向に延びる左右一対の載置部とよりなる支持台を備え、また、前記台車によって火葬室内に移送され、前記支持台上に愛玩動物の遺体とともに載置される火格子を備え、前記台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出し、火葬室内での遺体の火葬後には、台車の積載部を火葬室内の載置部よりも低い位置に下降させた状態で進入させ、その後積載部を載置部よりも上方に上昇させて火格子を遺骨ごと台車の積載部にて支持させて、台車を遺骨の拾骨場所に移動するように構成したものとしてある。
【手続補正４】
【補正対象書類名】明細書
【補正対象項目名】００１１
【補正方法】変更
【補正の内容】
【００１１】
【手続補正５】
【補正対象書類名】明細書
【補正対象項目名】００１３
【補正方法】変更
【補正の内容】
【００１３】
【手続補正６】
【補正対象書類名】明細書
【補正対象項目名】００１５
【補正方法】変更
【補正の内容】
【００１５】
【手続補正７】
【補正対象書類名】明細書
【補正対象項目名】００３０
【補正方法】変更
【補正の内容】
【００３０】
次に、火葬炉６へ移送した遺体２１を、図３に示すように、火葬炉６の扉８を上方に開け、台車１に備える昇降用ハンドル３を操作して台車１の積載部２を火葬室７内に備える支持台１５の載置部１６上方に上昇させ、かつ台車１の積載部２が、図１２における支持台１５の左右平行に設けた載置部１６、１６間の上方に位置するように、台車１を誘導して積載部２を火葬室７内に進入させる。
なお、前記積載部２の昇降は昇降用ハンドル３の操作以外に、油圧ジャッキやジャーナルジャッキあるいは電動式の昇降手段を用いる場合もある。
【手続補正８】
【補正対象書類名】明細書
【補正対象項目名】００３２
【補正方法】変更
【補正の内容】
【００３２】
また台車１をよりスムースに進入させる場合は、例えば図１３に示すように、台車１の両側に回転ローラ４ｂを配設するとともに、火葬炉６の火葬室７下方における台座１１の前記回転ローラ４に対する高さに左右平行な進路ガイド６ｂを配設し、この進路ガイド６ｂで台車１の進入方向に対する進路を制御して、台車１の積載部２が火葬室７内に備える支持台１５に対し、決められた位置に進入できるようにしてもよい。また、回転ローラ４ｂを台車１の左右外方に付勢させ、進路ガイド６ｂの補正部６ｃを通過した後も回転ローラ４ｂを進路ガイド６ｂに接触させて、進入路６ａ内をより安定走行できるようにする場合もある。
【手続補正９】
【補正対象書類名】明細書
【補正対象項目名】００３３
【補正方法】変更
【補正の内容】
【００３３】
上述する台車１の進入方向に対する進路制御は、図１４（ａ）のように、台車１の両側に多数配設した回転ローラ４ｂにおける先端に配設した一側の回転ローラ４ｂを、火葬炉６の台座１１に左右平行に配設した進路ガイド６ｂにおける一側のテーパ状に切り欠いた補正部６ｃに接触させて進入路６ａ内に進入させることで、図１４（ｂ）のように、進路ガイド６ｂにおけるテーパ状の補正部６ｃに接触する前記回転ローラ４ｂが左右平行に配設された進路ガイド６ｂの中央に徐々に案内され、この回転ローラ４ｂの案内によって台車１の進入方向も左右平行に配設された進路ガイド６ｂの中央に徐々に案内されて、図１４（ｃ）のように、台車１の先端両側に配設した回転ローラ４ｂがテーパ状の補正部６ｃを通過する頃には、台車１が、左右平行に配設した進路ガイド６ｂにおける適正な進入位置に補正される。
【手続補正１０】
【補正対象書類名】明細書
【補正対象項目名】００３９
【補正方法】変更
【補正の内容】
【００３９】
次に、火格子５からなる受け具上の遺骨２２を、図７に示すように、火葬炉６の扉８を上方に開け、台車１に備える昇降用ハンドル３を操作して台車１の積載部２を火葬室７内に備える支持台１５の載置部１６下方に下降させ、かつ台車１の積載部２が、図１２における支持台１５の左右平行に設けた載置部１６、１６間の下方に位置するように、台車１を誘導して積載部２を火葬室７内に進入させる。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
台車の少なくとも積載部を挿入できるようにした火葬室を備える火葬炉の火葬室内に、この火葬室の床に立設した脚部と、この脚部上に水平に設けられ、前記台車の進入方向に延びる左右一対の載置部とよりなる支持台を備え、また、前記台車によって火葬室内に移送され、前記支持台上に愛玩動物の遺体とともに載置される火格子を備え、前記台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出し、火葬室内での遺体の火葬後には、台車の積載部を火葬室内の載置部よりも低い位置に下降させた状態で進入させ、その後積載部を載置部よりも上方に上昇させて火格子を遺骨ごと台車の積載部にて支持させて、台車を遺骨の拾骨場所に移動するように構成し、
また、前記支持台の上下にそれぞれ燃焼用バーナを設け、これらの燃焼用バーナによって遺体を上下から燃焼させるように構成し、
前記火格子上に多数の小通孔を有するパンチングメタル材よりなる耐火プレートを設け、このプレートに前記遺体を載せるように構成するとともに、
前記支持台を構成する脚部および載置部をともに管材で構成して内部に空気通路を形成し、この空気通路を介して外部からの空気を支持台における所定の部位から遺体の近傍に排出し、火葬の際、空気通路を通過する空気により支持台自身を冷却するとともに、支持台の前記載置部における空気排出口より排出して前記火格子および耐火プレートを通して遺体近傍に供給される空気により遺体の自己燃焼が促進されるように構成してなる愛玩動物用火葬システム。
【請求項２】
前記台車の積載部を火葬室内に進入させる際、台車に配設した回転ローラを前記火葬炉に配設したガイド部材に接触させ、このガイド部材により台車の進入方向を制御し、台車の積載部が火葬室の支持台に対し所定の位置に案内されるよう構成してなる請求項１に記載の愛玩動物用火葬システム。
【請求項３】
前記回転ローラを、台車の両側に、かつ回転方向が略水平方向になるように少なくとも片側２箇所以上に同じ高さで設け、また前記ガイド部材を、台車が進入できるスペースを間に設け、かつ台車進入側の内側端部近傍をテーパ状に切り欠いて左右平行に設けてなる請求項２に記載の愛玩動物用火葬システム。
【手続補正２】
【補正対象書類名】明細書
【補正対象項目名】００１２
【補正方法】変更
【補正の内容】
【００１２】
また前記支持台の上下にそれぞれ燃焼用バーナを設け、これらの燃焼用バーナによって遺体を上下から燃焼させるように構成し、前記火格子上に多数の小通孔を有するパンチングメタル材よりなる耐火プレートを設け、このプレートに前記遺体を載せるものとしてある。
【手続補正３】
【補正対象書類名】明細書
【補正対象項目名】００１４
【補正方法】変更
【補正の内容】
【００１４】
また前記支持台を構成する脚部および載置部をともに管材で構成して内部に空気通路を形成し、この空気通路を介して外部からの空気を支持台における所定の部位から遺体の近傍に排出し、火葬の際、空気通路を通過する空気により支持台自身を冷却するとともに、支持台の前記載置部における空気排出口より排出して前記火格子および耐火プレートを通して遺体近傍に供給される空気により遺体の自己燃焼が促進されるものとしてある。
【手続補正４】
【補正対象書類名】明細書
【補正対象項目名】００２９
【補正方法】変更
【補正の内容】
【００２９】
遺体２１を載せ置く火格子５は、図１０に示すような形状に、例えばステンレス材のような耐火性を有する材料を用いて形成していて、この火格子５の上に直接遺体を載せるか、あるいは図１１に示すような、多数の小通孔２３ａを有するパンチングメタル材よりなる耐火プレート２３を前記火格子５の上に設置して、この耐火プレート２３の上に遺体を載せる。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
台車の少なくとも積載部を挿入できるようにした火葬室を備える火葬炉の火葬室内に、この火葬室の床に立設した脚部と、この脚部上に水平に設けられ、前記台車の進入方向に延びる左右一対の載置部とよりなる支持台を備え、また、前記台車によって火葬室内に移送され、前記支持台上に愛玩動物の遺体とともに載置される火格子を備え、前記台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出し、火葬室内での遺体の火葬後には、台車の積載部を火葬室内の載置部よりも低い位置に下降させた状態で進入させ、その後積載部を載置部よりも上方に上昇させて火格子を遺骨ごと台車の積載部にて支持させて、台車を遺骨の拾骨場所に移動するように構成し、
前記火葬炉における扉側の台座を、前記台車のキャスタ支持部が火葬室の外壁下方に進入できる幅に切り欠き、同切り欠きから前記キャスタ支持部を火葬室の外壁下方に進入させると、前記載置部に対する台車の位置調節がなされるように構成してなる愛玩動物用火葬システム。
【請求項２】
前記火格子上に多数の小通孔を有する耐火プレートを設け、このプレートに前記遺体を載せるように構成してなる請求項１に記載の愛玩動物用火葬システム。
【請求項３】
前記支持台を構成する脚部および載置部をともに管材で構成して内部に空気通路を形成し、この空気通路を介して外部からの空気を支持台における所定の部位から遺体の近傍に排出し、火葬の際、空気通路を通過する空気により支持台を冷却するとともに、支持台より排出した空気により遺体の自己燃焼を促進してなる請求項１に記載の愛玩動物用火葬システム。
【請求項４】
前記支持台の上下にそれぞれ燃焼用バーナを設け、これらの燃焼用バーナによって遺体を上下から燃焼させるように構成してなる請求項１に記載の愛玩動物用火葬システム。
【請求項５】
前記台車の積載部を火葬室内に進入させる際、台車のキャスタ支持部の両側に配設した回転ローラを前記火葬炉の火葬室下方の台座に配設した進路ガイド部材に接触させ、この進路ガイド部材により台車の進入方向を制御し、台車の積載部が火葬室の支持台に対し所定の位置に案内されるよう構成してなる請求項１に記載の愛玩動物用火葬システム。
【請求項６】
前記回転ローラを、台車の両側に、かつ回転方向が略水平方向になるように少なくとも片側２箇所以上に同じ高さで設け、また前記ガイド部材を、台車が進入できるスペースを間に設け、かつ台車進入側の内側端部近傍をテーパ状に切り欠いて左右平行に設けてなる請求項５に記載の愛玩動物用火葬システム。
【手続補正２】
【補正対象書類名】明細書
【補正対象項目名】００１０
【補正方法】変更
【補正の内容】
【００１０】
上述した課題を解決するために、本発明に係る愛玩動物用火葬システムは、台車の少なくとも積載部を挿入できるようにした火葬室を備える火葬炉の火葬室内に、この火葬室の床に立設した脚部と、この脚部上に水平に設けられ、前記台車の進入方向に延びる左右一対の載置部とよりなる支持台を備え、また、前記台車によって火葬室内に移送され、前記支持台上に愛玩動物の遺体とともに載置される火格子を備え、前記台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出し、火葬室内での遺体の火葬後には、台車の積載部を火葬室内の載置部よりも低い位置に下降させた状態で進入させ、その後積載部を載置部よりも上方に上昇させて火格子を遺骨ごと台車の積載部にて支持させて、台車を遺骨の拾骨場所に移動するように構成し、前記火葬炉における扉側の台座を、前記台車のキャスタ支持部が火葬室の外壁下方に進入できる幅に切り欠き、同切り欠きから前記キャスタ支持部を火葬室の外壁下方に進入させると、前記載置部に対する台車の位置調節がなされるように構成したものとしてある。